(57)【要約】      （修正有）【課題】ソフトウェアキーボードにおける誤入力を効果的に抑制する。【解決手段】タブレット端末装置は、ディスプレー１１及び制御部２を備える。制御部２は、表示制御部２０１と、受付部２０２と、文字記憶部２０５と、調整部２０４とを備える。表示制御部２０１は、ディスプレー１１にソフトウェアキーボードを表示する。受付部２０２は、ソフトウェアキーボードを介して、文字の入力操作を受け付ける。文字記憶部２０５は、第１文字と第３文字とを対応付けて記憶する。調整部２０４は、受付部２０２が第１文字の入力操作を受け付けた場合に、第３文字に対応するキーのサイズを調整する。第１文字は、第２文字の直前に入力された文字を示す。第２文字は、バックスペースキーが操作された対象の文字を示す。第３文字は、バックスペースキーが操作された直後に入力された文字を示す。【選択図】図３
2019212086.tif 000002
【特許請求の範囲】
【請求項１】
ディスプレーと、
前記ディスプレーにソフトウェアキーボードを表示する表示制御部と、
前記ソフトウェアキーボードを介して、文字の入力操作を受け付ける受付部と、
第１文字と第３文字とを対応付けて記憶する文字記憶部と、
前記受付部が前記第１文字の入力操作を受け付けた場合に、前記第３文字に対応するキーのサイズを調整する調整部と
を備え、
前記第１文字は、第２文字の直前に入力された文字を示し、
前記第２文字は、特定キーが操作された対象の文字を示し、
前記第３文字は、前記特定キーが操作された直後に入力された文字を示し、
前記特定キーは、１つの文字を消去するキーを示す、文字入力装置。
【請求項２】
前記受付部は、
前記第１文字の入力操作を受け付け、
前記第２文字の入力操作を受け付け、
前記第２文字に対する前記特定キーの操作を受けつけ、
前記第３文字の入力操作を受け付ける、請求項１に記載の文字入力装置。
【請求項３】
誤入力回数をカウントするカウント部を更に備え、
前記第１文字と前記第２文字との入力操作を前記受付部が受け付け、前記特定キーが操作されることによって前記第２文字が消去され、前記第３文字の入力操作を前記受付部が受け付けた場合に、前記カウント部は、前記誤入力回数を１回だけカウントアップし、
前記誤入力回数は、誤った入力操作が行われた回数を示し、
前記文字記憶部は、前記第１文字及び前記第３文字と対応付けて、前記誤入力回数を記憶する、請求項１又は請求項２に記載の文字入力装置。
【請求項４】
前記誤入力回数が第１所定回数以上であり、且つ、前記受付部が前記第１文字の入力操作を受け付けた場合に、前記調整部は、前記第３文字に対応するキーのサイズを第１拡大率に拡大する、請求項３に記載の文字入力装置。
【請求項５】
前記誤入力回数が第２所定回数以上であり、且つ、前記受付部が前記第１文字の入力操作を受け付けた場合に、前記調整部は、前記第３文字に対応するキーのサイズを第２拡大率に拡大し、
前記第２所定回数は、前記第１所定回数より多く、
前記第２拡大率は、前記第１拡大率より大きい、請求項４に記載の文字入力装置。
【請求項６】
前記第２拡大率は、前記ソフトウェアキーボードにおいて互いに隣接するキーの間隔に基づいて決定される、請求項５に記載の文字入力装置。
【請求項７】
前記ディスプレーの表示面上に配置されるタッチセンサーを更に備え、
前記文字の入力操作、及び前記特定キーの操作は、前記ソフトウェアキーボードを構成するキーに対するタッチ操作である、請求項１から請求項６のいずれか１項に記載の文字入力装置。
【請求項８】
ディスプレーと、制御部とを備え、
前記制御部は、
前記ディスプレーにソフトウェアキーボードを表示する表示制御部と、
前記ソフトウェアキーボードを介して、文字の入力を受け付ける受付部と、
第１文字と第３文字とを対応付けて記憶する文字記憶部と、
前記受付部が前記第１文字の入力を受け付けた場合に、前記第３文字に対応するキーのサイズを調整する調整部と
を備え、
前記第１文字は、第２文字の直前に入力された文字を示し、
前記第２文字は、特定キーが操作された対象の文字を示し、
前記第３文字は、前記特定キーが操作された直後に入力された文字を示し、
前記特定キーは、１つの文字を消去するキーを示す、電子機器。
【発明の詳細な説明】
【技術分野】
【０００１】
本発明は、文字入力装置、及び電子機器に関する。
【背景技術】
【０００２】
タッチパネルの普及に伴い、ソフトウェアキーボードを介して文字を入力する装置が増加している。これに伴い、ソフトウェアキーボードにおける誤入力を抑制する技術が開発されている。
【０００３】
例えば、特許文献１に記載の端末装置は、入力履歴記憶部、キーサイズ変更部、表示制御部、及びディスプレーを備える。入力履歴記憶部は、削除操作の回数をキー毎に記憶する。削除操作の回数は、入力内容を確定させるための所定操作を受け付けるまでの間に削除操作が実行された回数を示す。キーサイズ変更部は、削除操作の回数に基づき、削除されたキーのサイズを縮小する。表示制御部は、縮小されたキーをディスプレーに表示させる。
【先行技術文献】
【特許文献】
【０００４】
【特許文献１】特開２０１２−２０３６５３号公報
【発明の概要】
【発明が解決しようとする課題】
【０００５】
しかしながら、特許文献１に記載の端末装置では、削除操作の回数に基づき、削除されたキーのサイズを縮小する。したがって、キー操作の前後の関係が反映されていないため、誤入力を効果的に抑制できない可能性がある。
【０００６】
本発明は、上記課題に鑑みてなされたものであり、ソフトウェアキーボードにおける誤入力を効果的に抑制可能な文字入力装置、及び電子機器を提供することを目的としている。
【課題を解決するための手段】
【０００７】
本発明に係る文字入力装置は、ディスプレーと、表示制御部と、受付部と、文字記憶部と、調整部とを備える。前記表示制御部は、前記ディスプレーにソフトウェアキーボードを表示する。前記受付部は、前記ソフトウェアキーボードを介して、文字の入力操作を受け付ける。前記文字記憶部は、第１文字と第３文字とを対応付けて記憶する。前記調整部は、前記受付部が前記第１文字の入力操作を受け付けた場合に、前記第３文字に対応するキーのサイズを調整する。前記第１文字は、第２文字の直前に入力された文字を示す。前記第２文字は、特定キーが操作された対象の文字を示す。前記第３文字は、前記特定キーが操作された直後に入力された文字を示す。前記特定キーは、１つの文字を消去するキーを示す。
【０００８】
本発明に係る電子機器は、ディスプレーと、制御部とを備える。前記制御部は、表示制御部と、受付部と、文字記憶部と、調整部とを備える。前記表示制御部は、前記ディスプレーにソフトウェアキーボードを表示する。前記受付部は、前記ソフトウェアキーボードを介して、文字の入力操作を受け付ける。前記文字記憶部は、第１文字と第３文字とを対応付けて記憶する。前記調整部は、前記受付部が前記第１文字の入力操作を受け付けた場合に、前記第３文字に対応するキーのサイズを調整する。前記第１文字は、第２文字の直前に入力された文字を示す。前記第２文字は、特定キーが操作された対象の文字を示す。前記第３文字は、前記特定キーが操作された直後に入力された文字を示す。前記特定キーは、１つの文字を消去するキーを示す。
【発明の効果】
【０００９】
本発明に係る文字入力装置、及び電子機器によれば、ソフトウェアキーボードにおける誤入力を効果的に抑制できる。
【図面の簡単な説明】
【００１０】
【図１】本発明の実施形態に係るタブレット端末装置の構成の一例を示す図である。
【図２】タッチパネルに表示される第１画面の一例を示す画面図である。
【図３】本発明の実施形態に係る制御部の構成の一例を示す図である。
【図４】タッチパネルに表示される第２画面の一例を示す画面図である。
【図５】タッチパネルに表示される第３画面の一例を示す画面図である。
【図６】制御部のカウント処理の一例を示すフローチャートである。
【図７】制御部の調整処理の一例を示すフローチャートである。
【図８】本発明の実施形態に係る画像形成装置の構成の一例を示す図である。
【発明を実施するための形態】
【００１１】
以下、本発明の実施形態について、図面（図１〜図８）を参照しながら説明する。なお、図中、同一又は相当部分については同一の参照符号を付して説明を繰り返さない。
【００１２】
まず、図１を参照して本発明の実施形態に係るタブレット端末装置１００の構成について説明する。図１は、タブレット端末装置１００の構成を示す。図１に示すように、タブレット端末装置１００は、タッチパネル１と制御部２とを備える。タッチパネル１は、画像を表示すると共に、ユーザーからの操作を受け付ける。制御部２はタッチパネル１の動作を制御する。タブレット端末装置１００は、「文字入力装置」の一例に相当する。
【００１３】
タッチパネル１は、ディスプレー１１及びタッチセンサー１２を備える。ディスプレー１１は、例えば、ＬＣＤ（Ｌｉｑｕｉｄ  Ｃｒｙｓｔａｌ  Ｄｉｓｐｌａｙ）を備え、種々の画像を表示する。タッチセンサー１２は、ユーザーからの操作を受け付ける。タッチセンサー１２は、例えばディスプレー１１の表示面上に配置される。
【００１４】
制御部２は、プロセッサー２１及び記憶部２２を備える。プロセッサー２１は、例えばＣＰＵ（Ｃｅｎｔｒａｌ  Ｐｒｏｃｅｓｓｉｎｇ  Ｕｎｉｔ）を備える。記憶部２２は、半導体メモリーのようなメモリーを備え、ＨＤＤ（Ｈａｒｄ  Ｄｉｓｋ  Ｄｒｉｖｅ）を備えてもよい。記憶部２２は、制御プログラムを記憶している。
【００１５】
次に、図１及び図２を参照して、タッチパネル１に表示される第１画面６００について説明する。図２は、タッチパネル１に表示される第１画面６００の一例を示す画面図である。図２に示すように、第１画面６００には、文字表示部６０１と、ソフトウェアキーボード６０２とが表示されている。第１画面６００は、制御部２によってタッチパネル１に表示される。
【００１６】
文字表示部６０１には、ソフトウェアキーボード６０２を介して入力された文字を示す文字画像ＭＸが表示される。文字画像ＭＸは、第１文字画像ＭＸ１と、第２文字画像ＭＸ２とを含む。第１文字画像ＭＸ１は、第１文字ＴＸ１を示す。第１文字ＴＸ１は、例えば英文字「Ｅ」である。第２文字画像ＭＸ２は、第２文字ＴＸ２を示す。第２文字ＴＸ２は、例えば英文字「Ｅ」である。
【００１７】
ソフトウェアキーボード６０２は、アルファベットキー６０３と、バックスペースキー６０６とを含む。
【００１８】
アルファベットキー６０３は、２６文字のアルファベットの各々に対応するキーを示す。アルファベットキー６０３は、第１キー６０４と、第２キー６０５とを含む。第１キー６０４は、英文字「Ｅ」を入力する場合にユーザーによってタッチされる。第２キー６０５は、英文字「Ａ」を入力する場合にユーザーによってタッチされる。
【００１９】
バックスペースキー６０６は、１つの文字を削除する場合にユーザーによってタッチされる。バックスペースキー６０６は、「特定キー」の一例に相当する。以下の説明では、バックスペースキー６０６をＢＳキー６０６と記載する場合がある。
【００２０】
本発明の実施形態では、以下の操作が行われる場合について説明する。まず、第１キー６０４がタッチされることによって第１文字ＴＸ１が入力され、第１文字画像ＭＸ１が文字表示部６０１に表示される。次に、第１キー６０４がタッチされことによって第２文字ＴＸ２が入力され、第２文字画像ＭＸ２が文字表示部６０１に表示される。図２に示す第１画面６００は、このときにタッチパネル１に表示される。
【００２１】
そして、ＢＳキー６０６がタッチされ、第２文字画像ＭＸ２が消去される。次に、第２キー６０５がタッチされることによって第３文字ＴＸ３が入力され、第３文字画像ＭＸ３が文字表示部６０１に表示される。第３文字画像ＭＸ３は、第３文字ＴＸ３を示す。第３文字ＴＸ３は、例えば英文字「Ａ」である。なお、本発明の実施形態では、ユーザーは、例えば文字列「ＳＥＡＳＯＮ」を入力する。
【００２２】
すなわち、第１文字ＴＸ１は、第２文字ＴＸ２の直前に入力された文字を示す。第２文字ＴＸ２は、ＢＳキー６０６が操作された対象の文字を示す。換言すれば、第２文字ＴＸ２は、ＢＳキー６０６が操作されることによって削除される文字を示す。第３文字ＴＸ３は、ＢＳキー６０６が操作された直後に入力された文字を示す。
【００２３】
次に、図１〜図３を参照して、本発明の実施形態に係る制御部２の構成についいて説明する。図３は、制御部２の構成の一例を示す図である。制御部２は、表示制御部２０１と、受付部２０２と、カウント部２０３と、調整部２０４と、文字記憶部２０５とを備える。具体的には、制御部２のプロセッサー２１が制御プログラムを実行することによって、表示制御部２０１、受付部２０２、カウント部２０３及び調整部２０４として機能する。また、制御部２のプロセッサー２１が制御プログラムを実行することによって、プロセッサー２１が記憶部２２を文字記憶部２０５として機能させる。
【００２４】
文字記憶部２０５は、第１文字情報ＴＸＪ１と第３文字情報ＴＸＪ３とを対応付けて記憶する。第１文字情報ＴＸＪ１は、第１文字ＴＸ１を示す。第３文字情報ＴＸＪ３は、第３文字ＴＸ３を示す。また、文字記憶部２０５は、第１文字情報ＴＸＪ１及び第３文字情報ＴＸＪ３と対応付けて誤入力回数情報ＮＥＪを記憶する。
【００２５】
誤入力回数情報ＮＥＪは、誤入力回数ＮＥを示す。誤入力回数ＮＥは、誤った入力操作が行われた回数を示す。具体的には、誤入力回数ＮＥは、第３文字ＴＸ３が入力されずに誤って他の文字（例えば、第２文字ＴＸ２）が入力され、他の文字が消去された後に、第３文字ＴＸ３が入力された回数を示す。誤入力回数ＮＥは、カウント部２０３によってカウントされる。
【００２６】
表示制御部２０１は、ディスプレー１１にソフトウェアキーボード６０２を表示する。
【００２７】
受付部２０２は、ソフトウェアキーボード６０２を介して、文字ＴＸの入力操作を受け付ける。
【００２８】
カウント部２０３は、誤入力回数ＮＥをカウントする。カウント部２０３の処理については、図６を参照して詳細に説明する。
【００２９】
調整部２０４は、受付部２０２が第１文字ＴＸ１の入力操作を受け付けた場合に、第３文字ＴＸ３に対応するキー（第２キー６０５）のサイズを調整する。調整部２０４の処理については、後述にて図４、図５及び図７を参照して詳細に説明する。
【００３０】
以上、図１〜図３を参照して説明したように、本発明の実施形態では、受付部２０２が第１文字ＴＸ１の入力操作を受け付けた場合に、調整部２０４は、第３文字ＴＸ３に対応するキー（第２キー６０５）のサイズを調整する。第１文字ＴＸ１は、誤入力の前に入力された文字を示し、第３文字ＴＸ３は誤入力された文字を示す。よって、第１文字ＴＸ１が入力された場合に、例えば第３文字ＴＸ３に対応するキーのサイズを大きくすることによって、第３文字ＴＸ３と相違する文字（例えば、第２文字ＴＸ２）の誤入力を抑制できる。したがって、ソフトウェアキーボード６０２における誤入力を効果的に抑制できる。
【００３１】
また、本発明の実施形態では、ディスプレー１１の表示面上に配置されるタッチセンサー１２を備える。よって、タッチパネル１に表示されたソフトウェアキーボード６０２において、例えば第３文字ＴＸ３に対応するキーのサイズを大きくすることによって、第３文字ＴＸ３の誤入力を回避できる。第３文字ＴＸ３を入力せずに、第２文字ＴＸ２を入力するような誤入力を回避できる。したがって、タッチパネル１における誤入力を効果的に抑制できる。
【００３２】
なお、本発明の実施形態では、第１文字ＴＸ１〜第３文字ＴＸ３の各々が英文字であるが、本発明はこれに限定されない。第１文字ＴＸ１〜第３文字ＴＸ３の各々が文字であればよい。第１文字ＴＸ１〜第３文字ＴＸ３の各々が、例えば平仮名でもよい。また、第１文字ＴＸ１〜第３文字ＴＸ３の各々が、例えば片仮名でもよい。
【００３３】
また、本発明の実施形態では、第１文字ＴＸ１〜第３文字ＴＸ３の各々が英字の大文字であるが、本発明はこれに限定されない。第１文字ＴＸ１〜第３文字ＴＸ３の各々が英字の小文字でもよい。また、第１文字ＴＸ１〜第３文字ＴＸ３の各々が英字の大文字、又は英字の小文字でもよい。
【００３４】
また、本発明の実施形態では、文字入力装置が、タッチセンサー１２を備えるが、本発明はこれに限定されない。文字入力装置は、ディスプレー１１と制御部２とを備えればよい。
【００３５】
また、本発明の実施形態では、文字記憶部２０５は、第１文字情報ＴＸＪ１及び第３文字情報ＴＸＪ３と対応付けて誤入力回数情報ＮＥＪを記憶するが、本発明はこれに限定されない。文字記憶部２０５が、第１文字列情報ＴＸＮＪ１及び第３文字情報ＴＸＪ３と対応付けて誤入力回数情報ＮＥＪを記憶してもよい。第１文字列情報ＴＸＮＪ１は、第１文字列ＴＸＮ１を示す。第１文字列ＴＸＮ１は、複数の文字を含む。第１文字列ＴＸＮ１は、第２文字ＴＸ２の直前に入力された文字列を示す。第１文字列ＴＸＮ１は、例えば文字列「ＳＥ」を示す。この場合には、タッチパネル１における誤入力を更に効果的に抑制できる。
【００３６】
次に、図２〜図４を参照して、調整部２０４の処理について説明する。図４は、タッチパネル１に表示される第２画面６１０の一例を示す画面図である。第２画面６１０は、図２に示す第１画面６００の第２キー６０５と比較して、第２キー６１５のサイズが大きい点で第１画面６００と相違している。以下の説明では、第１画面６００と相違する点について主に説明する。
【００３７】
第２画面６１０には、文字表示部６０１と、ソフトウェアキーボード６０２とが表示されている。文字表示部６０１には、ソフトウェアキーボード６０２を介して入力された文字を示す文字画像ＭＸが表示される。文字画像ＭＸは、第１文字画像ＭＸ１を含む。第１文字画像ＭＸ１は、第１文字ＴＸ１を示す。第１文字ＴＸ１は、例えば英文字「Ｅ」である。
【００３８】
ソフトウェアキーボード６０２は、アルファベットキー６０３と、ＢＳキー６０６とを含む。アルファベットキー６０３は、第１キー６０４と、第２キー６１５とを含む。第１キー６０４は、英文字「Ｅ」を入力する場合にユーザーによってタッチされる。第２キー６１５は、英文字「Ａ」を入力する場合にユーザーによってタッチされる。
【００３９】
第２画面６１０を表示する際に、誤入力回数ＮＥは、第１所定回数ＮＥ１以上である。第１所定回数ＮＥ１は、例えば１０回である。第２キー６１５は、調整部２０４によって第１拡大率Ｚ１に拡大されている。具体的には、第２キー６１５のサイズは、図２に示す第２キー６０５のサイズと比較して第１拡大率Ｚ１に拡大されている。第１拡大率Ｚ１は、例えば１１０％である。
【００４０】
次に、第２キー６１５のサイズを第２キー６０５のサイズと比較して第１拡大率Ｚ１に拡大するための制御部２の構成について説明する。誤入力回数ＮＥが第１所定回数ＮＥ１以上であり、且つ、受付部２０２が第１文字ＴＸ１の入力操作を受け付けた場合に、調整部２０４は、第３文字ＴＸ３に対応するキーのサイズを第１拡大率Ｚ１に拡大する。
【００４１】
文字表示部６０１には、第１文字画像ＭＸ１が表示される。第１文字画像ＭＸ１は、第１文字ＴＸ１を示す。すなわち、受付部２０２は、第１文字ＴＸ１の入力操作を受け付けている。また、第３文字ＴＸ３に対応するキーは、図２に示す第２キー６０５である。したがって、調整部２０４は、図２に示す第２キー６０５のサイズを第１拡大率Ｚ１に拡大する。その結果、第２キー６１５がディスプレー１１に表示される。
【００４２】
以上、図２〜図４を参照して説明したように、本発明の実施形態では、誤入力回数ＮＥが第１所定回数ＮＥ１以上であり、且つ、受付部２０２が第１文字ＴＸ１の入力操作を受け付けた場合に、調整部２０４は、第３文字ＴＸ３に対応するキー（第２キー６０５）のサイズを第１拡大率Ｚ１に拡大する。よって、第１所定回数ＮＥ１と第１拡大率Ｚ１とを適正値に設定することによって、第３文字ＴＸ３に対応するキーを適正に拡大できる。したがって、ユーザーは第３文字ＴＸ３に対応するキーをタッチし易くなる。その結果、ソフトウェアキーボード６０２における誤入力を更に効果的に回避できる。
【００４３】
次に、図２〜図５を参照して、調整部２０４の処理について説明する。図５は、タッチパネル１に表示される第３画面６２０の一例を示す画面図である。第３画面６２０は、図４に示す第２画面６１０の第２キー６１５と比較して、第２キー６２５のサイズが大きい点で第２画面６１０と相違している。以下の説明では、第２画面６１０と相違する点について主に説明する。
【００４４】
第３画面６２０には、文字表示部６０１と、ソフトウェアキーボード６０２とが表示されている。文字表示部６０１には、ソフトウェアキーボード６０２を介して入力された文字を示す文字画像ＭＸが表示される。文字画像ＭＸは、第１文字画像ＭＸ１を含む。第１文字画像ＭＸ１は、第１文字ＴＸ１を示す。第１文字ＴＸ１は、例えば英文字「Ｅ」である。
【００４５】
ソフトウェアキーボード６０２は、アルファベットキー６０３と、ＢＳキー６０６とを含む。アルファベットキー６０３は、第１キー６０４と、第２キー６２５とを含む。第１キー６０４は、英文字「Ｅ」を入力する場合にユーザーによってタッチされる。第２キー６２５は、英文字「Ａ」を入力する場合にユーザーによってタッチされる。
【００４６】
第３画面６２０を表示する際に、誤入力回数ＮＥは、第２所定回数ＮＥ２以上である。第２所定回数ＮＥ２は、第１所定回数ＮＥ１より多い。第２所定回数ＮＥ２は、例えば２０回である。第２キー６２５は、調整部２０４によって第２拡大率Ｚ２に拡大されている。具体的には、第２キー６２５のサイズは、図２に示す第２キー６０５のサイズと比較して第２拡大率Ｚ２に拡大されている。第２拡大率Ｚ２は、第１拡大率Ｚ１より大きい。第２拡大率Ｚ２は、例えば１２０％である。
【００４７】
第２拡大率Ｚ２は、ソフトウェアキーボード６０２において互いに隣接するキーの間隔に基づいて決定される。キーの間隔が大きい程、第２キー６２５が、第２キー６２５と隣接するキーと重なり難い。したがって、キーの間隔が大きい程、第２拡大率Ｚ２を大きく決定できる。
【００４８】
なお、図４を参照して説明したように、第２キー６１５のサイズは、図２に示す第２キー６０５のサイズと比較して第１拡大率Ｚ１に拡大されている。第１拡大率Ｚ１は、例えば１１０％である。すなわち、図５に示す第２キー６２５のサイズは、図４に示す第２キー６１５のサイズよりも大きい。
【００４９】
次に、制御部２の構成について説明する。誤入力回数ＮＥが第２所定回数ＮＥ２以上であり、且つ、受付部２０２が第１文字ＴＸ１の入力操作を受け付けた場合に、調整部２０４は、第３文字ＴＸ３に対応するキーのサイズを第２拡大率Ｚ２に拡大する。
【００５０】
文字表示部６０１には、第１文字画像ＭＸ１が表示される。第１文字画像ＭＸ１は、第１文字ＴＸ１を示す。すなわち、受付部２０２は、第１文字ＴＸ１の入力操作を受け付けている。また、第３文字ＴＸ３に対応するキーは、図２に示す第２キー６０５である。したがって、調整部２０４は、図２に示す第２キー６０５のサイズを第２拡大率Ｚ２に拡大する。その結果、第２キー６２５がディスプレー１１に表示される。
【００５１】
以上、図２〜図５を参照して説明したように、本発明の実施形態では、誤入力回数ＮＥが第２所定回数ＮＥ２以上であり、且つ、受付部２０２が第１文字ＴＸ１の入力操作を受け付けた場合に、調整部２０４は、第３文字ＴＸ３に対応するキー（第２キー６０５）のサイズを第２拡大率Ｚ２に拡大する。よって、第２所定回数ＮＥ２と第２拡大率Ｚ２とを適正値に設定することによって、第３文字ＴＸ３に対応するキーを更に適正に拡大できる。したがって、ソフトウェアキーボード６０２における誤入力を更に効果的に回避できる。
【００５２】
また、第２拡大率Ｚ２は、ソフトウェアキーボード６０２において互いに隣接するキーの間隔に基づいて決定される。よって、例えば第３文字ＴＸ３に対応するキーを第２拡大率Ｚ２に拡大した場合に、第３文字ＴＸ３に対応するキーと、このキーに隣接するキーとが重なり合うことを回避できる。したがって、第３文字ＴＸ３に対応するキーを更に適正に拡大できる。
【００５３】
なお、本発明の実施形態では、調整部２０４は、第２キー６０５のサイズを２段階で拡大するが、本発明はこれに限定されない。調整部２０４は、第２キー６０５のサイズを拡大すればよい。例えば、調整部２０４が、第２キー６０５のサイズを１段階で拡大してもよい。また、例えば、調整部２０４が、第２キー６０５のサイズを３段階以上で拡大してもよい。
【００５４】
次に、図２〜図６を参照して、制御部２の「カウント処理」について説明する。図６は、制御部２のカウント処理の一例を示すフローチャートである。「カウント処理」とは、誤入力回数ＮＥをカウントする処理を示す。
図６に示すように、まず、ステップＳ１０１において、受付部２０２は、第１文字ＴＸ１の入力操作を受け付ける。
次に、ステップＳ１０３において、受付部２０２は、第２文字ＴＸ２の入力操作を受け付ける。
次に、ステップＳ１０５において、受付部２０２は、ＢＳキー６０６の操作を受け付ける。ＢＳキー６０６の操作を受け付けることによって、表示制御部２０１は、文字表示部６０１に表示された第２文字画像ＭＸ２が消去される。第２文字画像ＭＸ２は、第２文字ＴＸ２を示す。
【００５５】
次に、ステップＳ１０７において、受付部２０２は、第３文字ＴＸ３の入力操作を受け付ける。
次に、ステップＳ１０９において、カウント部２０３は、誤入力回数ＮＥを１回だけカウントアップする。
次に、ステップＳ１１１において、カウント部２０３は、誤入力回数情報ＮＥＪを第１文字情報ＴＸＪ１及び第３文字情報ＴＸＪ３に対応付けて、文字記憶部２０５に記憶する。その後、処理がステップＳ１０１へリターンする。誤入力回数情報ＮＥＪは、誤入力回数ＮＥを示す。第１文字情報ＴＸＪ１は、第１文字ＴＸ１を示す。第３文字情報ＴＸＪ３は、第３文字ＴＸ３を示す。
【００５６】
以上、図２〜図６を参照して説明したように、本発明の実施形態では、カウント部２０３が、誤入力回数ＮＥをカウントする。具体的には、以下の操作が行われた場合にカウント部２０３は、誤入力回数ＮＥを１回だけカウントアップする。すなわち、第１文字ＴＸ１と第２文字ＴＸ２との入力操作を受付部２０２が受け付け、ＢＳキー６０６が操作されることによって第２文字ＴＸ２が消去され、第３文字ＴＸ３の入力操作を受付部２０２が受け付けた場合である。よって、調整部２０４は、誤入力回数ＮＥに応じて、第３文字ＴＸ３に対応するキーのサイズを調整できる。したがって、第３文字ＴＸ３に対応するキーのサイズを適正に調整できる。
【００５７】
次に、図２〜図７を参照して、制御部２の「調整処理」について説明する。図７は、制御部２の調整処理の一例を示すフローチャートである。「調整処理」とは、第３文字ＴＸ３に対応するキーのサイズを調整する処理を示す。
図７に示すように、まず、ステップＳ２０１において、受付部２０２は、第１文字ＴＸ１の入力操作を受け付ける。
次に、ステップＳ２０３において、調整部２０４は、誤入力回数ＮＥが第１所定回数ＮＥ１以上であるか否かを判定する。
誤入力回数ＮＥが第１所定回数ＮＥ１以上ではないと調整部２０４が判定した場合（ステップＳ２０３でＮＯ）には、処理がステップＳ２０１にリターンする。誤入力回数ＮＥが第１所定回数ＮＥ１以上であると調整部２０４が判定した場合（ステップＳ２０３でＹＥＳ）には、処理がステップＳ２０５に進む。
【００５８】
そして、ステップＳ２０５において、調整部２０４は、誤入力回数ＮＥが第２所定回数ＮＥ２以上であるか否かを判定する。
誤入力回数ＮＥが第２所定回数ＮＥ２以上であると調整部２０４が判定した場合（ステップＳ２０５でＹＥＳ）には、処理がステップＳ２０７に進む。
そして、ステップＳ２０７において、調整部２０４は、図２に示す第２キー６０５のサイズを第２拡大率Ｚ２に拡大する。第２キー６０５は、第３文字ＴＸ３に対応するキーである。その後、処理がステップＳ２１１に進む。
誤入力回数ＮＥが第２所定回数ＮＥ２以上ではないと調整部２０４が判定した場合（ステップＳ２０５でＮＯ）には、処理がステップＳ２０９に進む。
そして、ステップＳ２０９において、調整部２０４は、第２キー６０５のサイズを第１拡大率Ｚ１に拡大する。その後、処理がステップＳ２１１に進む。
【００５９】
次に、ステップＳ２１１において、制御部２は、第２キー６０５の入力操作を受け付けたか否かを判定する。
第２キー６０５の入力操作を受け付けていないと制御部２が判定した場合（ステップＳ２１１でＮＯ）には、処理が待機状態になる。第２キー６０５の入力操作を受け付けたと制御部２が判定した場合（ステップＳ２１１でＹＥＳ）には、処理がステップＳ２１３に進む。
そして、ステップＳ２１３において、制御部２は、第２キー６０５のサイズを元のサイズに戻し、処理がステップＳ２０１へリターンする。
【００６０】
以上、図２〜図７を参照して説明したように、本発明の実施形態では、受付部２０２が第１文字ＴＸ１の入力操作を受け付けた場合に、調整部２０４は、第３文字ＴＸ３に対応するキーのサイズを調整する。第１文字ＴＸ１は、誤入力の前に入力された文字を示し、第３文字ＴＸ３は誤入力された文字を示す。よって、第１文字ＴＸ１が入力された場合に、例えば第３文字ＴＸ３に対応するキーのサイズを大きくすることによって、第３文字ＴＸ３と相違する文字（例えば、第２文字ＴＸ２）の誤入力を抑制できる。したがって、ソフトウェアキーボード６０２における誤入力を効果的に抑制できる。
【００６１】
次に、図１〜図８を参照して、本発明の実施形態に係る画像形成装置２００の構成について説明する。図８は、画像形成装置２００の構成の一例を示す図である。画像形成装置２００は、「電子機器」の一例に相当する。図８に示すように、画像形成装置２００は、カラー複合機である。
【００６２】
画像形成装置２００は、画像形成ユニット３０、画像読取ユニット４０、原稿搬送ユニット５０、操作表示部１０及び制御部２を備える。画像形成ユニット３０は、用紙Ｐに画像を形成する。画像読取ユニット４０は、原稿Ｒに形成された画像を読み取り、画像情報を生成する。原稿搬送ユニット５０は、原稿Ｒを画像読取ユニット４０に搬送する。操作表示部１０は、ユーザーの操作を受け付ける。操作表示部１０は、タッチパネル１を備える。制御部２は、画像形成装置２００の動作を制御する。
【００６３】
画像形成ユニット３０は、給送部３１２、搬送部Ｌ、トナー供給部３１３、画像形成部３１４、定着部３１６及び排出部３１７を備える。画像形成部３１４は、転写部３１５を含む。
【００６４】
給送部３１２は、用紙Ｐを搬送部Ｌへ供給する。搬送部Ｌは、用紙Ｐを転写部３１５及び定着部３１６を経由して排出部３１７まで搬送する。
【００６５】
トナー供給部３１３には、トナーコンテナが装着される。トナーコンテナは、画像形成部３１４にトナーを供給する。画像形成部３１４は、用紙Ｐに画像を形成する。
【００６６】
転写部３１５は、中間転写ベルト３１５Ａを備える。画像形成部３１４が、中間転写ベルト３１５Ａ上にシアン色、マゼンタ色、イエロー色、及び黒色のトナー像を転写する。複数色のトナー像が中間転写ベルト３１５Ａ上で重畳され、中間転写ベルト３１５Ａ上に画像が形成される。転写部３１５は、中間転写ベルト３１５Ａ上に形成された画像を、用紙Ｐ上に転写する。その結果、用紙Ｐに画像が形成される。
【００６７】
定着部３１６は、用紙Ｐを加熱及び加圧し、用紙Ｐに形成された画像を用紙Ｐに定着する。排出部３１７は、用紙Ｐを画像形成装置２００の外部へ排出する。
【００６８】
以上、図１〜図８を参照して説明したように、本発明の実施形態では、画像形成装置２００は、タッチパネル１と制御部２とを備える。また、図３を参照して説明したように、制御部２は、表示制御部２０１と、受付部２０２と、カウント部２０３と、調整部２０４と、文字記憶部２０５とを備える。したがって、画像形成装置２００は、図１に示すタブレット端末装置１００と同様の効果を奏する。
【００６９】
すなわち、画像形成装置２００において、受付部２０２が第１文字ＴＸ１の入力操作を受け付けた場合に、調整部２０４は、第３文字ＴＸ３に対応するキーのサイズを調整する。第１文字ＴＸ１は、誤入力の前に入力された文字を示し、第３文字ＴＸ３は誤入力された文字を示す。よって、第１文字ＴＸ１が入力された場合に、例えば第３文字ＴＸ３に対応するキーのサイズを大きくすることによって、第３文字ＴＸ３と相違する文字（例えば、第２文字ＴＸ２）の誤入力を抑制できる。したがって、ソフトウェアキーボード６０２における誤入力を効果的に抑制できる。
【００７０】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（２））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００７１】
（１）図１を参照して説明したように、本発明の実施形態では、「文字入力装置」はタブレット端末装置１００であるが、本発明はこれに限定されない。「文字入力装置」は、ディスプレー１１と制御部２とを備えればよい。例えば、「文字入力装置」が、パーソナルコンピューターでもよい。
【００７２】
（２）図１〜図８を参照して説明したように、本発明の実施形態では、「電子機器」は画像形成装置２００であるが、本発明はこれに限定されない。「電子機器」は、ディスプレー１１と制御部２とを備えればよい。例えば、「電子機器」が、ＤＶＤ（Ｄｉｇｉｔａｌ  Ｖｅｒｓａｔｉｌｅ  Ｄｉｓｃ）プレイヤーでもよいし、カーナビゲーション装置でもよい。
【産業上の利用可能性】
【００７３】
本発明は、文字入力装置、及び電子機器に利用可能である。
【符号の説明】
【００７４】
１００    タブレット端末装置（文字入力装置）
２００    画像形成装置（電子機器）
１    タッチパネル
１１    ディスプレー
１２    タッチセンサー
２    制御部
２１    プロセッサー
２２    記憶部
２０１    表示制御部
２０２    受付部
２０３    カウント部
２０４    調整部
３０    画像形成ユニット
３１４    画像形成部
４０    画像読取ユニット
５０    原稿搬送ユニット
６００    第１画面
６０１    文字表示部
６０２    ソフトウェアキーボード
６０４    第１キー
６０５    第２キー
６０６    バックスペースキー（ＢＳキー、特定キー）
ＭＸ    文字画像
ＭＸ１    第１文字画像
ＭＸ２    第２文字画像
ＴＸ１    第１文字
ＴＸ２    第２文字
ＴＸ３    第３文字
ＮＥ    誤入力回数
ＮＥ１    第１所定回数
ＮＥ２    第２所定回数
Ｚ１    第１拡大率
Ｚ２    第２拡大率
【図１】
2019212086.tif 000003
【図２】
2019212086.tif 000004
【図３】
2019212086.tif 000005
【図４】
2019212086.tif 000006
【図５】
2019212086.tif 000007
【図６】
2019212086.tif 000008
【図７】
2019212086.tif 000009
【図８】
2019212086.tif 000010